(57)【要約】【課題】  特殊紙等を利用しても、ミスコピー、ミスプリントを未然に防止し、利便性を向上できるようにする。【解決手段】  ユーザが任意の用紙を該機器に対して登録可能にし、登録対象メディアの態様により印刷ジョブ実行時に選択可能な機能との組み合わせを禁止すべきであると判断されるときには、印刷ジョブ実行時に選択可能な機能を制限する。【選択図】  図１
2006239931.tif 000002
【特許請求の範囲】
【請求項１】
画像を光学的に読み取り電子的なイメージ情報に変換する読み取り手段、イメージ情報を紙などのメディアに印刷するプリント手段、ユーザからの指示を受け付ける操作部、機器のステータスなど様々な情報を表示する表示装置、プログラムデータやイメージデータなどの蓄積に用いる記憶装置、大容量のデータ蓄積に用いる大容量記憶装置、ネットワークなどを介して外部の機器と接続するための接続手段、
を有し、前記操作部を介してユーザが任意の用紙を該機器に対して登録するメディア登録手段を備え、前記メディア登録手段は登録対象メディアの態様により前記メディアを用いた印刷ジョブ実行時に選択可能な機能との組み合わせを禁止すべきであると判断されるときには、前記印刷ジョブ実行時に選択可能な機能を制限するための機能選択制限情報をも併せて機器に登録することができ、前記手段によって登録されたメディアを用いてジョブを実行する際には登録された前記機能選択制限情報に基づき前記操作部上でユーザによって行われる機能の選択操作に制限を加えるよう制御可能であることを特徴とする画像処理装置。
【請求項２】
前記メディア登録手段によって登録されるメディアとは、用紙に予め画像情報が印刷されたプレプリント紙であることを特徴とする請求項１に記載の画像処理装置。
【請求項３】
前記メディア登録手段によって登録されるメディアとは、透過性のあるトランスペアレントシートであることを特徴とする請求項１に記載の画像処理装置。
【請求項４】
前記メディア登録手段によって登録されるメディアとは、メディアＷ素材、色、紙質、その他態様が該メディアの表面と裏面とで異なっていることを特徴とする請求項１に記載の画像処理装置。
【請求項５】
前記メディア登録手段によって登録されるメディアとは、厚紙や極端に硬質な素材からなるメディアであり、ステープルなどフィニッシング処理の動作に関して通常メディアとは異なる制限を生じうる可能性のあるメディアであることを特徴とする請求項１に記載の画像処理装置。
【請求項６】
前記機能選択制限情報に基づき前記操作部上でユーザによって行われる機能の選択操作に制限されうる機能とは、印刷面の両面片面設定であることを特徴とする請求項１に記載の画像処理装置。
【請求項７】
前記機能選択制限情報に基づき前記操作部上でユーザによって行われる機能の選択操作に制限されうる機能とは、ステープル、パンチ、トリミング、折り等の物理的なメディアに対して加工を加えるためのフィニッシング処理であることを特徴とする請求項１に記載の画像処理装置。
【請求項８】
前記機能選択制限情報に基づき前記操作部上でユーザによって行われる機能の選択操作に制限されうる機能とは、画像の回転処理であることを特徴とする請求項１に記載の画像処理装置。
【請求項９】
前記機能選択制限情報に基づき前記操作部上でユーザによって行われる機能の選択操作に対する制限とは、通常メディア使用時であれば複数の選択可能な設定のうちの一部あるいは全部が選択できないように制御することであることを特徴とする請求項１から請求項８のいずれかに記載の画像処理装置。
【請求項１０】
前記機能選択制限情報に基づき前記操作部上でユーザによって行われる機能の選択操作に対する制限とは、通常メディア使用時であれば選択可能な設定を無効にして操作できないように制御することであることを特徴とする請求項１から請求項８のいずれかに記載の画像処理装置。
【請求項１１】
前記機能選択制限情報に基づき前記操作部上でユーザによって行われる機能の選択操作に対する制限とは、通常メディア使用時であれば実行可能な最大処理枚数に対し、前記メディア登録手段によって登録されたメディア選択時には異なる最大処理枚数を判定しそれに基づき動作するよう制御可能であることを特徴とする請求項１から請求項１０のいずれかに記載の画像処理装置。
【発明の詳細な説明】
【技術分野】
【０００１】
複合機の性能が向上し機能が高度になるにつれてニーズが多様化し、従来の複合機の枠を超えた形態での利用が求められつつある。
【背景技術】
【０００２】
その一例として、プリントオンデマンドのように従来は印刷業界で行われていた印刷出力物を電子写真系の機器を利用して少数部数でも気軽に高品質な出力物を生成するニーズが高まっている。そのような市場においては、通常のオフィス業務で利用される場合よりも、より多彩なメディアのサポートが求められている。
【０００３】
又、別の従来例としては、特許文献１及び特許文献２をあげることが出来る。
【特許文献１】特開２００１−２３５３１２号公報
【特許文献２】特開２００１−３２６８１０号公報
【発明の開示】
【発明が解決しようとする課題】
【０００４】
前述したより多彩なメディア種としては予め何らかのイメージが紙面上に印刷されているプレプリント紙や、メディアの表裏で色や質感等が異なるもの、厚紙等の特殊紙が含まれる。
【０００５】
これら特殊紙のサポートは従来の複写機等でもごく限定された状況に限りなされていた。例えば厚紙を利用する場合には厚紙モードのような特殊な動作モードを予め設けておきこれをユーザに選択させることによって実現されていた。
【０００６】
しかしながら、このような特殊なモードは機器を製造する側が予め用意し機器に搭載したものであり、ユーザが想定する細かい要求を全て満たしうるものではなかった。
【０００７】
また、プレプリント紙のサポート状況についても、予め印刷されているイメージと印刷イメージの方向をそろえるために画像の回転を無効とするようなモードを用意し、対応していた。
【０００８】
しかしながら、例えばプレプリント紙でもプレプリント画像が上下左右対称なイメージであれば、画像の回転処理が機器側で行われたとしても出力物に与える影響はないので、回転処理を可能にすることであれば回転処理を施し印刷スピードを向上することが可能なはずである。にもかかわらず、前述したように、従来のプレプリント紙モードは一様に回転処理を禁止するのみなので、上述のように処理速度を上げられるケースでも予め用意されたモードによる以外の動作を指示し実行することはできなかった。
【０００９】
また、プレプリント紙に限らず、透明のメディアやメディアの表裏で態様が異なるようなメディアにおいては、裏面への印刷処理を禁止させたい場合が存在する。しかしながら設定画面における印刷面設定において両面印刷が設定できてしまうために、ユーザが設定を行う際に誤った設定をしてミスプリント、ミスコピーを発生させてしまうのを防ぐことができないなど、特殊紙を使用した際の利便性が著しく損なわれていた。
【課題を解決するための手段】
【００１０】
本発明はこのような状況を鑑みなされたものであり、特殊紙を利用する際に、設定可能な設定情報について制限を加え、かつその制限情報を用紙と共に機器に登録し、該用紙が選択された際に前記制限を設定画面に自動的に付加されるようにすることで、用紙に不適切な設定が選択されないようにしミスコピー、ミスプリントを未然に防止し、利便性を向上させる環境を提供することを目的とする。
【００１１】
課題を解決するため、本発明における画像処理装置は、請求項１〜１１に記載の手段または機能を有することを特徴とする。
【発明の効果】
【００１２】
本発明により従来技術が持つ問題点を解決し、特殊紙を利用する際に、設定可能な設定情報について制限を加え、かつその制限情報を用紙と共に機器に登録し、該用紙が選択された際に前記制限を設定画面に自動的に付加されるようにすることで、用紙に不適切な設定が選択されないようにしミスコピー、ミスプリントを未然に防止し、利便性を向上させる環境を提供することができる。
【発明を実施するための最良の形態】
【００１３】
以下、本発明の一実施形態を示す。
【実施例１】
【００１４】
図１は本発明による機器の外観の一例を示すためのものである。
【００１５】
図２は、本発明による機器の内部構成を説明するためのブロック図である。機器内の全てのモジュールはシステムバス２０１によって互いに接続されている。これらの構成は実施例の説明に用いた一例であり、請求項に記載の項目を満たす限りはいかなる構成を取った場合でも本発明は適用される。システムバス２０１は本機器を構成するサブモジュール間のデータや制御信号を送受信するための複数の信号の集合であり、例えばメインコントローラ２１３と一時記憶装置２０３間を接続するアドレスバス、データバスや、スキャンエンジンコントローラ２１０からメインコントローラ２１３に画像データを送信するための画像信号バスなどが該当する。
【００１６】
操作部２０２は機器が通常備える単数あるいは複数のキーと表示装置あるいはタッチパネルからなる部分であり、ユーザの機器に対する操作の入出力を行う部分である。
【００１７】
一次記憶装置２０３、二次記憶装置２０４はそれぞれ各種プログラムやシステムが印刷処理に使用したりシステムが使用するデータを一時的あるいは長期的に蓄積するために用いる半導体記憶装置、磁気記録装置等の装置である。
【００１８】
ネットワークアダプタ２０５はネットワークによって接続された外部の機器と情報の送受信を行う装置であり、プロトコル解析部２０６はネットワークアダプタ２０５が受信したデータをサポートするプロトコルに応じて処理し、機器内で処理可能な形式に変換するためのものである。ただし、ネットワークアダプタ２０５及びプロトコル解析部２０６の働きは本発明の本質ではないので詳細は説明は省略する。
【００１９】
プリントエンジンコントローラ２０８はプリントエンジン２０９の制御を行うモジュールである。印刷対象データはプリントエンジンコントローラ２０８経由でプリントエンジン２０９に送られることによって物理的な印刷処理が行われる。これらの詳細な構成に関する説明も上記と同様の理由によって省略する。
【００２０】
スキャンエンジン２１１とスキャンエンジンコントローラ２１０は紙原稿を光学的にスキャンし電子情報に変換するための装置である。これらの詳細な構成に関する説明も上記と同様の理由によって省略する。
【００２１】
課金管理部２１２は、ユーザの機器に対する利用状況や印刷処理等に要した消耗品等の量に応じ、正しく課金を行うための管理を担当するモジュールである。
【００２２】
メインコントローラ２１３は以上説明した各モジュールの働き全体の制御を司り、本発明の機能を実現するためのステップを実行するためのものである。ＰＤＬデータの解釈や各種画像処理等もここで行われる。
【００２３】
図示するように、本発明による機器はモジュールの集合からなる３つの機能モジュール群に分けることが出来る。すなわち、プリンタモジュール２１４、スキャナモジュール２１５、そしてコントローラモジュール２１６である。
【００２４】
図３は、二次記憶装置２０４内に格納され、必要に応じて一時記憶装置２０３にロードされメインコントローラ２１３において実行されるプログラムまたは各種データ構成の一例を説明するためのものである。
【００２５】
オペレーティングシステム３０１は本発明の機器の各デバイスを管理し動作を制御する最も基本となるソフトウェアであり、その他全てのソフトウェアに対して共通のプラットフォームを提供するためのものである。
【００２６】
デバイスドライバ３０２は、各種デバイスを動作させるための制御用プログラムの集合である。
【００２７】
スキャンファンクション３０３は、本発明による複合機が提供する機能のうち、スキャン機能を実現するためのプログラムである。
【００２８】
ＰＤＬファンクション３０４は、本発明による複合機が提供する機能のうちのＰＤＬ機能を実現するためのプログラムである。
【００２９】
コピーファンクション３０５は、本発明による複合機が提供する機能のうちのコピー機能を実現するためのプログラムである。
【００３０】
Ｓｅｎｄファンクション３０６は、本発明による複合機が提供する機能のうちのＳｅｎｄ機能を実現するためのプログラムである。Ｓｅｎｄ機能とは、機器でスキャンした画像に対して各種画像処理を施した上に、機器外部のクライアントに対して画像を送信する機能のことであり、前記機器外部のクライアントには、パーソナルコンピュータやＦＡＸ等も含まれている。また、前記各種画像処理にはＯＣＲ処理を含むなどきわめて多機能なものである。
【００３１】
登録用紙テーブル３０７は本発明が提供する仕組みを用いてユーザによって機器に登録された用紙の情報を管理し保存するためのデータである。登録用紙テーブル３０７の詳細については後述する。
【００３２】
その他３０８は、上述したいずれにも該当しないプログラム、データ、空き領域等のことである。
【００３３】
上述したプログラム構成は本発明の効果を説明するための一例であり、上述以外の構成の場合においても請求項に記載の項目を満たす限り本発明は有効であることはいうまでもない。
【００３４】
図４は、図２における操作部２０２を構成するハードキーが備えるボタン配置の一例を示したものである。操作部２０２自体は、同図のハードキーと表示装置を入力装置を兼ねたタッチパネルから構成される。
【００３５】
図示するように、機器に対し実行を指示するスタートボタン４０２と中止するストップボタン４０３、また印刷部数などを設定する数字キーなどが配置されている。
【００３６】
ユーザモードキー４０１は、機器のコンフィギュレーションや特定のファンクションに依存しない共通の設定等を行うユーザモード設定の実行を指示するためのものである。
【００３７】
図５は、機器が電源投入後に利用可能状態になった時に表示される画面の一例を示すためのものである。本実施例においては、コピーファンクションがデフォルトのファンクションとして選択されており、そのためにコピーの設定画面がデフォルトとなっている。
【００３８】
該コピー画面に置いて、本実施例による機器では頻繁に利用される設定キーのみ基本画面上に配置し、その他の機能に関する設定キーは応用モードとして応用モードキー５０２を押下することによって応用モードの中から選択可能となっている。応用モードの具体的な内容については本実施例の効果を説明する上で重要ではないため詳細は省略する。
【００３９】
印刷面を指定する印刷面指定キー５０１は、頻繁に使用される機能としてコピー基本画面上に配置されている。図５においては、印刷面として片面印刷が選択されていることを示している。
【００４０】
図６は、図５において印刷面指定キー５０１を押下した直後に表示される印刷面設定画面の一例を示すためのものである。
【００４１】
図示するように、印刷面指定の各モードに対応するボタンが表示され、選択中のものが反転表示されている。本実施例の機器に置いては、片面印刷を指示する片面ボタン６０１、両面印刷を指示する両面ボタン６０２、両面でなおかつ表面と裏面とで画像向きが逆である両面逆像ボタン６０３が存在し、図６の例においてはユーザが両面ボタン６０２を押下し両面印刷を選択した状態を示している。
【００４２】
キャンセルボタン６０４は、印刷面設定においてなされた設定を反映させずに終了し、コピーメイン画面に戻るためのボタンである。
【００４３】
ＯＫボタン６０５は、印刷面設定においてなされた設定を反映させて終了し、コピーメイン画面に戻るためのボタンである。
【００４４】
図７は、図６における印刷面設定画面において、両面印刷設定を選択しＯＫボタン押下によりコピー基本画面に戻った直後の画面状態を示すためのものである。図示するように印刷面指定キー５０１が、両面となっていることが分かる。この状態でスタートボタン４０２が押下されれば両面印刷モードでコピーが実行されることになる。
【００４５】
図８は、本発明による効果を説明するための具体例として用いる原稿の一例を説明するためのものである。図示するように、表面と裏面にそれぞれ異なる画像が印刷された原稿であることを示している。
【００４６】
図９は、機器内に格納され、印刷時に使われるメディアの一例を示すためのものである。図示するように、表面にはプレプリント画像が印刷され、裏面には印刷されていないメディアを示している。
【００４７】
図１０は、図７までの設定により両面印刷が指示され、図８に示した原稿を図９に示したプレプリント用紙を出力用紙として選択した場合に、従来の発明による機器によってコピーした出力結果の一例を示すためのものである。
【００４８】
コピー時に使用する用紙は図５における用紙選択ボタン５０２を押下し使用する用紙を選択することによって行われるが、用紙選択処理そのものは通常のコピー機にて行われる用紙選択と何ら変わりないため、詳細な説明は省略するが、用紙選択処理としていかなる画面または方法が用いられた場合でも請求項に記載の項目を満たす限り本発明は有効であることはいうまでもない。
【００４９】
図示するように、プレプリント画像が印刷されたメディア表面に、原稿の表面画像が印刷され、プレプリント画像が印刷されていないメディア裏面に原稿の裏面画像が印刷されていることが分かる。
【００５０】
例に示したような表裏の区別のあるプレプリント用紙では、何も画像がない裏面への印刷を機能として許すかどうかは一概に決めることはできない。なぜならば、それはユーザが最終的にどのような出力物を望んでいるかに依存するからである。例えばプレプリント画像が表面にしか印刷されていない場合でも両面印刷を施した出力物を望むユーザがいれば両面印刷を許可すべきであるのに対し、プレプリント画像がある面だけに印刷対象画像を印刷したいと望むユーザも存在する。
【００５１】
従って、図１０の出力結果は、ユーザが上述のどちらの仕様を望んでいるかによって、望んでいた出力物にもなり得、ミスコピーにもなり得る。問題は、どちらの動作を望んでいるのかを機器側に設定し、後者の場合にミスコピーを防止する手段が存在しないことである。
【００５２】
以後の図を用いて従来の機器による問題点に対し本発明が提示する解決策の説明を行う。
【００５３】
図１１は、操作部２０２上に表示される画面が図５の状態で、図４におけるユーザモードボタン４０１を押下した際に表示されるユーザモード設定のメイン画面の一例を示す為のものである。
【００５４】
図示するように、各種設定を実行するためのボタンが並んでいる。閉じるボタン１１０２を押下すると、ユーザモード設定画面に移行する前の画面に戻る。ここで示した例では、図５のコピーメイン画面に戻る。
【００５５】
用紙登録ボタン１１０１は、ユーザによる機器に対する用紙登録実行を指示するためのものである。
【００５６】
図１２は図１１のユーザモード設定画面において、用紙登録ボタン１１０１が押下された後に表示される用紙登録画面の一例を示すためのものである。
【００５７】
用紙登録画面にはユーザによって入力された用紙名称を表示する用紙名称表示フィールド１２０１、ユーザが用紙名称を入力するときに使用するキーボード画面を表示するためのキーボードボタン１２０２が存在する。キーボード画面の詳細は本発明の効果を説明する上で重要ではないため省略するが、請求項に示す項目を満たす限りいかなる画面であったとしても本発明は適用される。
【００５８】
他には、用紙サイズ入力フィールド１２０３、用紙サイズ入力フィールドのプルダウンボタン１２０４が存在する。また、下部にあるＯＫボタン１２０７を押下すると用紙登録を完了し、図１２の前の画面に戻る。本実施例の場合は図１１の画面状態に戻る。
【００５９】
キャンセルボタン１２０６は用紙登録処理を完了せずに図１２の前の画面に戻る。本実施例の場合は図１１の画面状態に戻る。この場合にはユーザが用紙登録画面上で行った設定処理をすべてキャンセルするため、実際の用紙情報は機器に登録されない。
【００６０】
設定制限ボタン１２０５は、登録対象の用紙を利用した際に選択できる機能の制限に関する設定を行うためのものである。
【００６１】
図１３は、図１２の画面に置いて設定制限ボタン１２０５を押下した場合に表示される設定制限に関する詳細を設定するための画面の一例を示すためのものである。
【００６２】
図示するように、メディア設定時に制限対象となる複数の機能と各機能に対し制限を行う、行わないを設定するボタンが配置されている。Ｙｅｓボタンが選択されているときには該登録メディアを用いたときに該機能を制限することを意味し、Ｎｏボタンが選択されているときには制限を行わないことを意味する。
【００６３】
本実施例においては、両面印刷設定、画像回転設定、フィニッシング設定が制限対象となる設定情報となっているが、これら以外の設定情報についても同様の手段により制限を行う場合もありうる。それらの設定情報として本実施例以外のいかなるものであった場合でも請求項記載の項目が満たされる限り本発明は有効であることはいうまでもない。
【００６４】
フィニッシング設定に対する設定制限エリア内部に詳細設定ボタン１３０８が存在するが、これは前述したように機能そのものを有効にしたり無効にしたりする場合ではなく、機能そのものは有効な場合でも動作の詳細に対して制限を加えるためのものである。例えば、ステープル機能そのものは有効としても、該メディア選択時にステープル可能な最大枚数を設定する場合などがこれに該当する。
【００６５】
戻るボタン１３０２が押下されたら図１２に示した用紙登録画面に戻る。
【００６６】
キャンセルボタン１３０３が押下されたら、用紙登録設定に関する処理を終了し、図１１の画面状態に戻る。この場合にはユーザが用紙登録画面上で行った設定処理をすべてキャンセルするため、実際の用紙情報は機器に登録されない。
【００６７】
ＯＫボタン１３０４を押下すると用紙登録を完了し、図１１において示したユーザモードの基本画面に戻る。
【００６８】
図１４は、図１３における詳細設定ボタン１３０８が押下されたときに表示されるフィニッシング制限詳細設定画面の一例を説明するためのものである。
【００６９】
図示するように各フィニッシング処理のそれぞれにおいて、処理可能な最大メディア枚数を設定できるようになっている。プラスボタンを押下することにより、その左側にあるその時点での最大枚数の値が増加し、マイナスボタンを押下すると逆に値が減少する。
【００７０】
キャンセルボタン１３０３が押下されたら、フィニッシング制限詳細設定に関する処理を終了し、図１３の画面状態に戻る。
【００７１】
ＯＫボタン１４０２を押下すると、用紙登録画面を完了し、図１１に示したユーザモードのメイン画面に戻る。
【００７２】
図１５は、図１１から図１４までで説明を行った用紙登録処理によって図３における登録用紙テーブル領域３０７内に登録される用紙登録テーブルの構成を説明するためのものである。
【００７３】
用紙登録テーブル内には同図に示すような登録された用紙ごとの複数のデータフィールドから構成される。これらデータフィールドは図１２から図１４までの用紙登録処理によってユーザから入力された情報に対応している。
【００７４】
なお、同図にて示した用紙登録テーブルの構成は本実施例の効果を説明するために用いたものであり、実際のデータ構造やデータの格納形式等は必ずしも図１５に示した形式そのものではなくてもよい。図１５にて示したデータフィールドと登録された用紙の対応関係と論理的なデータ構成が保持される限り、いかなる形式を用いた場合でも請求項に記載の項目を満たす限り本発明は有効であることはいうまでもない。
【００７５】
図１６は、図１１から図１４までの用紙登録によって登録された用紙を用いてコピージョブを実行しようとした場合において、前記登録された用紙が両面印字を制限する旨ユーザから指示されて登録処理がなされていた場合の印刷面設定画面の様子を説明するためのものである。
【００７６】
コピー時に使用する用紙は図５における用紙選択ボタン５０２を押下し使用する用紙を選択することによって行われるが、用紙選択処理そのものは通常のコピー機にて行われる用紙選択と何ら変わりないため、詳細な説明は省略するが、用紙選択処理としていかなる画面または方法が用いられた場合でも請求項に記載の項目を満たす限り本発明は有効であることはいうまでもない。
【００７７】
同図に示すように、該用紙を選択した場合には図６においては表示されていたような両面印字を選択するボタンが表示されていない。これは、図１５において示した用紙登録テーブルの内容に従って機能の選択が制限されているためである。
【００７８】
このように機器が制御されることによって、ユーザが用紙の登録時に意図したとおり、希望しない出力物を生成しうるような設定を抑制することができ、結果的にミスコピーやミスプリントを防止することが可能となる。
【００７９】
図１７は、図１６の説明で用いた場合と同様の用紙を用いて図８において示した原稿のコピー動作を実行させたときの出力物を示すためのものである。
【００８０】
図示するように、出力物として生成された２枚のメディアのうちの表面に相当するプレプリント画像が存在する面にのみ原稿画像に対応したコピー画像が印字されている。このような結果が生じたのは、前述したとおり用紙登録時に該用紙と同時に両面印刷設定を抑制するような制限情報が登録され、それに基づいて設定画面が制御されることによってユーザに両面設定が行えないように抑制するよう制御された結果であり、これは用紙を登録したユーザが意図したとおりの出力物を結果的に生じさせ、また意図しない出力物は生成することができないという本発明が目的とする効果が現れていることを示している。
【００８１】
図１８は、本発明による図１に示す機器の処理概要について、用紙登録および設定操作に関する動作に着目して説明するためのフロー図である。
【００８２】
まず、機器は電源投入されてから使用可能な状態になったら処理要求待ち状態となり、ユーザからの様々なサービス受付の準備に入る（ステップＳ１８０１）。
【００８３】
ユーザからの処理要求があったら次のステップに進み、要求された処理が用紙登録要求であるかどうかを判別する（ステップＳ１８０２）。この用紙登録処理とは図１２において示したユーザモードの用紙登録処理に該当するものである。
【００８４】
ステップＳ１８０２の判別の結果、要求された処理が用紙登録処理であった場合、用紙登録処理を実行し（ステップＳ１８０３）、再び処理要求待ち状態に戻る（ステップＳ１８０１）。
【００８５】
ステップＳ１８０２の判別の結果が用紙登録以外の処理要求であった場合には次に要求された処理がコピージョブの各種設定操作であるかどうかを判別する（ステップＳ１８０４）。
【００８６】
ステップＳ１８０４の判別の結果、要求された処理がコピージョブの各種設定操作であった場合、要求された設定処理を実行し（ステップＳ１８０５）、再び処理要求待ち状態に戻る（ステップＳ１８０１）。
【００８７】
ステップＳ１８０４の判別の結果がコピージョブの各種設定操作の処理要求でなかった場合にはさらにステップＳ１８０６に進み、要求された処理がコピージョブ実行を指示するためのスタートボタン４０２の押下であるかどうかを判別する（ステップＳ１８０６）。
【００８８】
ステップＳ１８０６の判別の結果、要求された処理がスタートボタンの押下であった場合、コピージョブの処理を実行し（ステップＳ１８０７）、コピーが完了したら再び処理要求待ち状態に戻る（ステップＳ１８０１）。
【００８９】
ステップＳ１８０６の判別の結果がさらにスタートボタンの押下でもなかった場合にはその他の該当する処理を行い（ステップＳ１８０８）、再び処理要求待ち状態に戻る（ステップＳ１８０１）。ステップＳ１８０８にて行われる様々な処理の詳細については、本発明の効果を説明する上で本質的ではないので省略するが、請求項に記載の項目を満たす限りステップＳ１８０８の処理内容がいかなるものであっても本発明は有効であることは言うまでもない。
【００９０】
図１９は、図１８におけるステップＳ１８０３の用紙登録処理の詳細を説明するためのフロー図である。
【００９１】
まず最初にユーザからの用紙登録処理画面での処理要求待ち状態に移行する（ステップＳ１９０１）。これは、図１２の画面を操作部上に表示しユーザからの入力を待っている状態に相当する。
【００９２】
ユーザから何らかの入力があったらステップＳ１９０１の処理要求待ち状態から次のステップに移る。次のステップにおいて、ユーザが入力した処理要求が登録対象用紙に対する用紙情報の入力要求であるかどうかの判別を行う（ステップＳ１９０２）。これは、図１２上に配置され設定制限ボタン以外の設定ボタンによる設定処理に対応する。
【００９３】
ステップＳ１９０２の判別の結果、ユーザからの要求が登録対象用紙に対する用紙情報の入力要求であった場合には図１２の画面上の各種ボタンを用いてユーザに用紙情報を入力させる処理を行い（ステップＳ１９０３）、再び処理要求待ち状態に戻る（ステップＳ１９０１）。
【００９４】
ステップＳ１９０２の判別の結果、ユーザからの要求が用紙情報の入力処理要求でなかった場合には、ステップＳ１９０４に進み、図１２における設定制限ボタン１２０５押下による設定制限情報の入力要求であるかどうかの判別を行う（ステップＳ２００４）。
【００９５】
ステップＳ１９０４の判別の結果、ユーザからの要求が設定制限情報の入力要求であった場合には図１３に示した設定情報入力画面に進みユーザに設定制限情報の入力処理を行わせ（ステップ１９０５）、再び処理要求待ち状態に戻る（ステップＳ１９０１）。
【００９６】
ステップＳ１９０４の判別の結果、ユーザからの要求が設定制限情報の入力要求でもなかった場合には、ステップＳ１９０６に進み、ユーザが図１２または図１３に示す画面でＯＫボタンを押下したかどうかの判別を行う（ステップＳ１９０６）。
【００９７】
判別の結果、ＯＫボタン押下でなかった場合には次にステップＳ１９０８に進み、図１２または図１３におけるキャンセルボタン押下かどうかを判別する。ステップＳ１９０８の判別の結果、キャンセルボタンが押下された時には、用紙登録自体の取り消しを意味する。すなわち、何も登録せずに用紙登録処理を終了する。その結果、画面は図１１の状態に遷移する。
【００９８】
ステップＳ１９０８の判別の結果、要求された処理がキャンセルボタン押下でもなかった場合には、ユーザの要求は用紙登録、設定制限情報入力、ＯＫボタン、キャンセルボタン押下以外の処理に相当する。従って前述した処理以外の処理を実行する（ステップＳ１９０９）。この処理には、リセットボタン４０４押下による設定の強制中断処理等が含まれるが、これらに該当する処理内容は本発明の効果を説明する上で本質的ではないため詳細な説明は省略する。ただし、請求項に記載の項目を満たす限りいかなる処理がこれに該当した場合であっても本発明は有効であることは言うまでもない。
【００９９】
ステップＳ１９０６の判別の結果、ＯＫボタンの押下であると判別された場合、上述のステップによってユーザが設定用紙情報と設定制限情報を機器に登録する（ステップＳ１９０７）。ここでの登録処理としては、図１２および図１３の画面によってユーザが入力した各種設定情報を用い図１５にて説明した用紙登録テーブルにエントリを追加する処理に対応する。
【０１００】
用紙登録処理が完了したら画面は図１１の状態に遷移する。
【０１０１】
図２０は、図１８におけるステップＳ１８０４の設定処理の詳細を説明するためのフロー図である。印刷設定は図５、図６、図１６等に示した画面を用いて行われる。
【０１０２】
まず最初にユーザから設定操作のキー入力待ち状態となる（ステップＳ２００１）。
【０１０３】
ユーザから設定操作によりキー入力が実行されたらステップＳ２００２に進み、その時点における印刷対象メディアの用紙情報を取得する。ここで取得する主な情報は図１５において示した用紙と共に登録された各種設定制限情報である。
【０１０４】
次にステップＳ２００３に進みステップＳ２００１において要求された処理が用紙選択操作であるかどうかを判別する。用紙選択処理は図５における用紙選択ボタン５０２押下によって選択される。
【０１０５】
ステップＳ２００３の判別の結果、要求された処理が用紙選択操作であった場合にはステップＳ２００２において取得された用紙の情報は新しくユーザによって選択された用紙情報で置き換える必要があるため、現在選択されている用紙を新たに選択された用紙に置き換え（ステップＳ２００４）、再びステップＳ２００１に戻る。
【０１０６】
ステップＳ２００３の判別の結果、要求された処理が用紙選択操作でなかった場合にはステップＳ２００５に進み次に各種機能の選択要求であるかどうかの判別を行う。機能とは、応用モードボタン以下に列挙される各種モードや、両面、ソータ、倍率、用紙選択など設定すべき項目を束ねる設定画面のことである。
【０１０７】
例を用いて説明すると、図６もしくは図１６において示した印刷面設定が前述の機能に相当する。
【０１０８】
各種機能の設定用画面においては、本発明が目的とするところの用紙とともに登録された設定制限情報を前記各種設定用画面に反映させ、設定可能項目を抑制する処理を行う必要があるため、ステップＳ２００６に進んで現在選択されている印刷対象用紙と共に登録されている設定制限情報を取得し、それに基づきユーザが選択した機能の設定画面上で、制限対象項目となっている設定項目のボタンをマスクして画面上に表示されないようにする処理を行い（ステップＳ２００７）、再び処理要求待ち状態に戻る（ステップＳ２００１）。これにより、設定制限のかけられているボタンは画面上に表示されないために用紙登録時に登録者が意図しない設定をユーザに行わせないという本発明が目的とする効果を生じさせることが可能となる。
【０１０９】
ステップＳ２００５の判別の結果、要求された処理が各種機能の選択要求でもなかった場合にはステップＳ２００８に進み設定画面上の設定項目ボタン押下処理であるかどうかの判別を行う。この段階で押下することができるのは前述したようにステップＳ２００７によってマスクされた設定可能な項目のみであることはいうまでもない。
【０１１０】
ステップＳ２００８の判別の結果、要求された処理が設定画面上の設定項目ボタン押下処理であった場合にはステップＳ２００９に進み前記押下されたボタンに対応した設定値を更新し、再び処理要求待ち状態に戻る（ステップＳ２００１）。
【０１１１】
ステップＳ２００８の判別の結果、要求された処理が設定画面上の設定項目ボタン押下処理でもなかった場合にはステップＳ２０１０に進み上述した以外のその他の処理を実行し、再び処理要求待ち状態に戻る（ステップＳ２００１）。ステップＳ２０１０における処理内容は本発明の効果を説明する上で本質的ではないため個々での詳細な説明は省略するがいかなる処理であったとしても請求項に記載の項目を満たす限り本発明は有効であることは言うまでもない。
【０１１２】
図２１は、図１８におけるステップＳ１８０７において説明したコピー処理実行時の動作の詳細を説明するためのものである。
【０１１３】
スタートボタンが押下されたら、まず最初に原稿を読み取るためにスキャンを実行し（ステップＳ２１０１）、原稿画像情報を読み込んだ後に、ユーザの設定に基づき印刷対象メディアを選択し（ステップＳ２１０２）、次に該用紙と共に登録された設定制限情報を取得し（ステップＳ２１０３）、該用紙に対して読み込んだ画像をプリントする（ステップＳ２１０４）。以上がコピー動作の基本処理である。
【０１１４】
次に印刷済み出力物である紙束に対して物理的加工を加えるフィニッシング処理が行われる。
【０１１５】
まず、ステップＳ２１０４において出力した出力メディアの枚数をカウントし（ステップＳ２１０５）、次にステープルに対する設定が行われていたかどうかをチェックする（ステップＳ２１０６）。
【０１１６】
ステップＳ２１０６の判別の結果ステープルに対する設定が行われていた場合にはステップＳ２１０７に進み、コピーで使用したメディアと共に登録されているステープル処理可能枚数制限をチェックしステップＳ２１０５で調べた出力枚数が前記制限枚数を超えていないかどうかをチェックする。前記処理可能枚数制限は図１４に示す画面において設定され、図１５に示す用紙登録テーブル内に格納された情報のことである。
【０１１７】
ステップＳ２１０７の判別の結果、出力枚数がステープル処理可能枚数制限を越えていなければステープル処理を実行し（ステップＳ２１０８）、処理が完了したらステップＳ２１０９に進む。
【０１１８】
ステップＳ２１０７の判別の結果、出力枚数がステープル処理可能枚数制限を越えていた場合にはステープル処理を実行せずにステップＳ２１０９に進む。
【０１１９】
また、ステップＳ２１０６の判別の結果、ステープル処理の設定が行われていなければやはり同様にステップＳ２１０９に進む。
【０１２０】
次にパンチに対する設定が行われていたかどうかをチェックする（ステップＳ２１０９）。
【０１２１】
ステップＳ２１０９の判別の結果パンチに対する設定が行われていた場合にはステップＳ２１１０に進み、コピーで使用したメディアと共に登録されているパンチ処理可能枚数制限をチェックしステップＳ２１０５で調べた出力枚数が前記制限枚数を超えていないかどうかをチェックする。前記処理可能枚数制限は図１４に示す画面において設定され、図１５に示す用紙登録テーブル内に格納された情報のことである。
【０１２２】
ステップＳ２１１０の判別の結果、出力枚数がパンチ処理可能枚数制限を越えていなければパンチ処理を実行し（ステップＳ２１１１）、処理が完了したらステップＳ２１１２に進む。
【０１２３】
ステップＳ２１１０の判別の結果、出力枚数がパンチ処理可能枚数制限を越えていた場合にはパンチ処理を実行せずにステップＳ２１１２に進む。
【０１２４】
また、ステップＳ２１０９の判別の結果、パンチ処理の設定が行われていなければやはり同様にステップＳ２１１２に進む。
【０１２５】
次に折り処理に対する設定が行われていたかどうかをチェックする（ステップＳ２１１２）。
【０１２６】
ステップＳ２１１２の判別の結果折り処理に対する設定が行われていた場合にはステップＳ２１１３に進み、コピーで使用したメディアと共に登録されている折り処理可能枚数制限をチェックしステップＳ２１０５で調べた出力枚数が前記制限枚数を超えていないかどうかをチェックする。前記処理可能枚数制限は図１４に示す画面において設定され、図１５に示す用紙登録テーブル内に格納された情報のことである。
【０１２７】
ステップＳ２１１３の判別の結果、出力枚数が折り処理可能枚数制限を越えていなければ折り処理を実行し（ステップＳ２１１４）、処理が完了したらステップＳ２１１５に進む。
【０１２８】
ステップＳ２１１３の判別の結果、出力枚数が折り処理可能枚数制限を越えていた場合には折り処理を実行せずにステップＳ２１１５に進む。
【０１２９】
また、ステップＳ２１１２の判別の結果、折り処理の設定が行われていなければやはり同様にステップＳ２１１５に進む。
【０１３０】
次にトリマ処理に対する設定が行われていたかどうかをチェックする（ステップＳ２１１５）。
【０１３１】
ステップＳ２１１５の判別の結果トリマ処理に対する設定が行われていた場合にはステップＳ２１１６に進み、コピーで使用したメディアと共に登録されているトリマ処理可能枚数制限をチェックしステップＳ２１０５で調べた出力枚数が前記制限枚数を超えていないかどうかをチェックする。前記処理可能枚数制限は図１４に示す画面において設定され、図１５に示す用紙登録テーブル内に格納された情報のことである。
【０１３２】
ステップＳ２１１６の判別の結果、出力枚数がトリマ処理可能枚数制限を越えていなければトリマ処理を実行し（ステップＳ２１１７）、コピー動作における処理が完了する。
【０１３３】
ステップＳ２１１６の判別の結果、出力枚数がトリマ処理可能枚数制限を越えていた場合にはトリマ処理を実行せずにコピー動作における処理が完了する。
【０１３４】
また、ステップＳ２１１５の判別の結果、トリマ処理の設定が行われていなければこの段階でコピー動作における処理が完了する。
【図面の簡単な説明】
【０１３５】
【図１】本発明による機器の外観の一例を示す図である。
【図２】本発明による機器の内部構成を説明するためのブロック図である。
【図３】データ構成の一例を説明する図である。
【図４】操作部を示す図である。
【図５】本形態の処理を説明する為の図である。
【図６】本形態の処理を説明する為の図である。
【図７】本形態の処理を説明する為の図である。
【図８】本形態の処理を説明する為の図である。
【図９】本形態の処理を説明する為の図である。
【図１０】本形態の処理を説明する為の図である。
【図１１】本形態の処理を説明する為の図である。
【図１２】本形態の処理を説明する為の図である。
【図１３】本形態の処理を説明する為の図である。
【図１４】本形態の処理を説明する為の図である。
【図１５】本形態の処理を説明する為の図である。
【図１６】本形態の処理を説明する為の図である。
【図１７】本形態の処理を説明する為の図である。
【図１８】本形態の処理を説明する為の図である。
【図１９】本形態の処理を説明する為の図である。
【図２０】本形態の処理を説明する為の図である。
【図２１】本形態の処理を説明する為の図である。
【図１】
2006239931.tif 000003
【図２】
2006239931.tif 000004
【図３】
2006239931.tif 000005
【図４】
2006239931.tif 000006
【図５】
2006239931.tif 000007
【図６】
2006239931.tif 000008
【図７】
2006239931.tif 000009
【図８】
2006239931.tif 000010
【図９】
2006239931.tif 000011
【図１０】
2006239931.tif 000012
【図１１】
2006239931.tif 000013
【図１２】
2006239931.tif 000014
【図１３】
2006239931.tif 000015
【図１４】
2006239931.tif 000016
【図１５】
2006239931.tif 000017
【図１６】
2006239931.tif 000018
【図１７】
2006239931.tif 000019
【図１８】
2006239931.tif 000020
【図１９】
2006239931.tif 000021
【図２０】
2006239931.tif 000022
【図２１】
2006239931.tif 000023